(57)【要約】      （修正有）【課題】組立て解体が容易にでき不要時には解体して容積を小さくし収納できるもの、デザイン的にも落ち着いてボリューム感があり木の温もりを感じさせ人に優しく環境にも配慮した金属部品や接着剤を使わない組立椅子とすること。【解決手段】支持板４のように木板の長手端にホゾａを設けこのホゾａの先端部に楔挿入穴ｅを設けておき、このホゾ付木板である支持板４を垂直に受けて接続したい別の複数枚の側板５や脚板６などの木板にはこのホゾａ部を通すホゾ穴ｂを設けておき嵌め合わせた後、前記ホゾａの先端部の楔挿入穴ｅに楔形木片１２を圧入することで各木板を強固に接続することである。座面と背凭れと肘掛と椅子の脚の下に敷く接地板等は前記基本構成の木板に組み上げ過程で緩く嵌合され必要に応じ止め木片１３や固定丸棒１４で固定される。【選択図】  図１
2006020922.tif 000002
【特許請求の範囲】
【請求項１】
座面を構成する座面組み体２が座板３と支持板４と側板５とからなり、座板３は長手方向が座面左右方向に配置された複数の木製面材（以下木板）、支持板４は座板３に平行に配置され座面の一部を成し両端にホゾａを持ちホゾａの先端に楔挿入穴ｅがある１枚もしくは２枚の木板、側板５は座面左右に側板５の面を対向させ一対配置され座板３の両端を嵌め受けるための複数のざぐり穴ｃと支持板４の両端のホゾａを通す一個もしくは２個のホゾ穴ｂを持つ木板。座面組み体２の中の支持板４の両端ホゾａに椅子の脚となる脚板６がホゾ接合された後、ホゾａの先端の楔挿入穴ｅに楔形木片１２を挿入し脚板６と側板５を圧縮固定し椅子１を組み上げることを特徴とした分解可能な木製の組立椅子。
【請求項２】
肘掛７は左右それぞれ一対の脚板６上端に肘掛板７を取付けて設けるが、脚板６上端にホゾａを作り、肘掛板７に前記脚板６上端ホゾａに対応したホゾ穴ｂを作りホゾ接合し、脚板６の面に垂直な方向の接合面に肘掛板７と脚板６ホゾａ部を通す貫通穴ｄを設けこの穴に固定丸棒１４を挿入し固定し構成する。床面に対し板面で接地し床面を保護するため接地板８を設けるが、脚板６の下部先端にホゾａを作り、接地板８に前記脚板６下端ホゾａに対応したホゾ穴ｂを作りホゾ接合し、脚板６面に垂直な方向の接合面に接地板８と脚板６ホゾａ部を通す貫通穴ｄを設けこの穴に固定丸棒１４を挿入し固定し構成する。椅子のロッキング機能を設けるため弧状揺動板９を取付けて行うが、脚板６下部先端を弧状揺動板９に作った角穴ｇに挿入し脚板６面に垂直な方向に弧状揺動板９と脚板６を通して貫通穴ｄを作りこの穴に固定丸棒１４を挿入し固定し構成する。背凭れは座面後部一対の脚板６を座面上部まで伸ばしその部分に背凭れ板１１を取付けて設けるが、脚板６の上部に背凭れ板枚数分ホゾ穴ｂを設けそこに挿入するために背凭れ板１１両端にホゾａを設けホゾ接合し、止め木片１３を背凭れ板１１のホゾａ先端に設けた止め穴ｆに挿入して構成する。また、脚板６の上部を使わず背凭れ板１１の支持専用の板として背凭れ支持板１０を座面組み体２の後部の支持板４の両端にあるホゾａに一対取付け前記脚板６上部を用いる方法と同様な方法で背凭れ板１１を取付け背凭れを構成する。前記方法で背凭れ板１１や、肘掛板７や、接地板８や、弧状揺動板９を少なくとも一つ付けた請求項１に記載の椅子。
【発明の詳細な説明】
【技術分野】
【０００１】
本発明は、複数の木板を組み合わせて構成される組立椅子に関する。特に、複数の木板を互いの嵌合部を嵌め合わせて互いを固定する分解可能な組立椅子に関する。
【背景技術】
【０００２】
従来の木製椅子は、広葉樹木材を使ってその緻密で堅い特性を生かしてホゾ接合を強固にし接着剤で固めて作るものと、針葉樹の柔らかい木で作るものでその柔らかい材質上ホゾ接合においては構造を複雑にして、例えば二枚ホゾ接ぎ等、接着剤で固めて作るものがある。いずれの椅子も完成形で組立式ではない。木製で折畳式の収納に便利なものはあるが、金属部品と複合で構成されデザイン的には簡便的なものしかない。
【発明の開示】
【発明が解決しようとする課題】
【０００３】
本発明が前述の状況に鑑み、解決しようとするところは、針葉樹の様な比較的柔らかく軽い木を使っても簡単な構造で強度も強く、組立て解体が容易にでき不要時には解体して容積を小さくし収納できるもの、温湿度の影響で木の収縮膨張する影響を接着剤を使わなくても排除できること、デザイン的にも落ち着いてボリューム感があり木の温もりを感じさせ、金属部品や接着剤を使わない人に優しく環境にも配慮した組立椅子とすること。
【課題を解決するための手段】
【０００４】
本発明では針葉樹の様な比較的柔らかい且つ幅広のボリューム感ある木板で構成するが、一般に木目は木板の長手方向に走るが、当発明もこの様な木板を使用し木板の持つ強度の方向性を生かして使う。その基本的な方法は、木板は長手方向には引っ張り強度が強いのでこの方向を使い、支持板４のように木板の長手端にホゾａを設けこのホゾａの先端部に楔挿入穴ｅを設けておき、このホゾ付木板である支持板４を垂直に受けて接続したい別の複数枚の側板５や脚板６などの木板にはこのホゾａ部を通すホゾ穴ｂを設けておき嵌め合わせた後、前記ホゾａの先端部の楔挿入穴ｅに楔形木片１２を圧入することで各木板を強固に接続することである。当発明ではこの接続方法を使って、座面を構成するための座面組み体２と組立椅子１の脚となる部分脚板６及び必要な場合は背凭れを支持する背凭れ支持板１０の各木板を組み上げ、椅子の基本構成を作る。ここで基本構成を作る各木板材はその長手方向の断面が短寸側を１とすると長寸側は３以上とする木板が良い。座面と背凭れと肘掛と椅子の脚の下に敷く接地板等は前記基本構成の木板に組み上げ過程で緩く嵌合され必要に応じ止め木片１３や固定丸棒１４で固定される。このようにすることで、温湿度の影響で木の収縮膨張する影響を接着剤を使わなくても排除できること、デザイン的にも落ち着いてボリューム感があり木の温もりを感じさせ人に優しく環境にも配慮した金属部品や接着剤を使わない分解可能な木製の組立椅子の提供が可能である。
【発明の効果】
【０００５】
以上説明したように本発明により、例えば針葉樹のような柔らかい木板で容易に且つ安価に入手できる材料で、木の温もりを感じる自然な無垢材でボリューム感のある人に優しい椅子を提供できる。また組みたて分解型で、木板材の経年変化による収縮に対応でき、輸送や不要時の収納に便利でありる。
【発明を実施するための最良の形態】
【０００６】
本発明の組立椅子は木板を使いこの木板をそれぞれ所定の形状に加工しこれらを組み立てて椅子を作るが、その木板に針葉樹のような比較的柔らかい木材を想定している。この針葉樹からなる木板はいわゆる１×４、２×４材と呼ばれるＤＩＹ材としても安価に入手でき、北欧やアメリカで住宅用の木材として生産され、樹齢の小さく節の多いグレードの低いもの、いわゆる間伐材は安価に大量に木板になって供給されている。椅子用の木材としてはこれらの材料でも住宅と比較し小さいことから節があっても問題無く使用でき、木の温もりを持った組立椅子をこの木板を使って供給しようとするものである。また、国内の杉板や檜板を使っても同様な組立椅子がこれらの木の特徴を生かして製作可能である。以下、この発明の実施の形態を図面を参照して説明する。
【０００７】
図１〜図５は本発明の一つの実施形態を説明するものである。図１は組み立て完成後の組立椅子を斜め前上方から見た斜視図を示す。図２〜図５は組み立て途中の椅子を斜め前上方から見た斜視図を示す。本発明の組立椅子の基本構成を成す座面組み体２を図２の（Ａ）に示す。座面組み体を構成する各木板形状と配置及び組み立て方法の説明図が図２の（Ｂ）に示してある。座面を構成する座面組み体２が座板３と支持板４と側板５とからなり、座板３は長手方向が座面左右方向に配置された５枚の木板、支持板４は座板３に平行に配置され座面の一部を成し両端にホゾａを持ちホゾａの先端に楔挿入穴ｅがある２枚の木板、側板５は座面左右に側板５の面を対向させ一対配置され座板３の両端を嵌め受けるための５個のざぐり穴ｃと支持板４の両端のホゾａを通す２個のホゾ穴ｂを持つ木板。これら木板が図２（Ｂ）のように配置し側板５を左右から支持板４のホゾａ及び座板３の両端がそれぞれホゾ穴ｂとざぐりｂに嵌め合わさるように移動し組み上げる。
【０００８】
そして、次に図３を使って説明する。図３（Ａ）は脚板６を取付け、椅子としての基本構成を完成したところである。すなわち人が腰掛けた時椅子としての強度が備わった状態である。図３（Ｂ）は脚板６と座面組み立て体２の形状と配置及び組み立て方法の説明図である。座面組み体２の中の支持板４の両端ホゾａに椅子の脚となる脚板６がホゾ接合された後、ホゾａの先端の楔挿入穴ｅに楔形木片１２を挿入し脚板６と側板５を圧縮固定し椅子としての基本構成を完成させる。脚板６と側板がホゾ接合される個所で互いに面接触する部分を相欠きｈとして脚板６の前後方向のずれを防いでいる。また楔型木片１２の挿入方向に対する楔の傾きは１．５度〜３．５度とし木槌で軽く叩く程度で十分である。楔型木片は通常の使用状況では緩まないが、経年変化で木板が収縮する場合があり椅子が少しぐらついたと感じるときはこの楔型木片を再度軽く叩いて入れればい。
【０００９】
次に図４を使って説明する。図４（Ａ）は肘掛板７と接地板８を組み込んだ状態で、図４（Ｂ）はそれらの形状と配置と組みたて方法を説明した図である。肘掛７は左右それぞれ一対の脚板６上端に肘掛板７を取付けて設けるが、脚板６上端にホゾａを作り、肘掛板７に前記脚板６上端ホゾａに対応したホゾ穴ｂを作りホゾ接合し、脚板６の面に垂直な方向の接合面に肘掛板７と脚板６ホゾａ部を通す貫通穴ｄを設けこの穴に固定丸棒１４を挿入し固定し構成する。床面に対し板面で接地し床面を保護するため接地板８を設けるが、脚板６の下部先端にホゾａを作り、接地板８に前記脚板６下端ホゾａに対応したホゾ穴ｂを作りホゾ接合し、脚板６面に垂直な方向の接合面に接地板８と脚板６ホゾａ部を通す貫通穴ｄを設けこの穴に固定丸棒１４を挿入し固定し構成する。ここでホゾ接合される相対する面間と、固定棒と貫通穴の直径の差は０．１ｍｍ〜０．３ｍｍ程度のクリアランスを取り緩く結合して組みたて分解を容易にする。椅子としての強度は前記の脚板６と座面組み立て体２のホゾ結合の楔による圧縮固定で十分強度があり問題ない。固定丸棒１４の抜けを防ぐため、図１３（Ａ）に示す様に、固定丸棒１４の一部に径の太い部分ｉを設け且つ挿入時に径が小さくなるようスリットｊを入れておき、一方貫通穴ｄの一部に固定丸棒１４の太い径の部分に対応した位置に内径の広い部分ｋを設けロックするようにしておく。
【００１０】
さらに図５を使って説明する。図５（Ａ）背凭れ板１１を組み込み完成した組立椅子。図５（Ｂ）は背凭れ板１１の形状と配置と組みたて方法を説明したものである。背凭れは座面後部一対の脚板６を座面上部まで伸ばしその部分に背凭れ板１１を取付けて設けるが、脚板６の上部に背凭れ板２枚分のホゾ穴ｂを２個設けそこに挿入するために背凭れ板１１両端にホゾａを設けホゾ接合し、止め木片１３を背凭れ板１１のホゾａ先端に設けた止め穴ｆに挿入し固定する。止め穴はｆは脚板６の内側か外側どちらでも良いが上部の背もたれ板１１については外側で下部の背凭れ板１１は内側にすることで脚板６の上部の左右方向の振れに対してより強くなる。背凭れ板１１のホゾａの長さは、片側のホゾａを先ず深く入れ反対側のホゾａが脚板６の内側に来るようにする為、適当な量長くする。つまり、背凭れ板１１を組み入れるには先ず一方のホゾａをホゾ穴ｂに入れ反対側のホゾａ端が脚板６の内側に来たら今度は反対方向に動かしもう一方のホゾａを入れて行う。前記肘掛板７の場合と同様ホゾ結合及び止め木片１３の挿入は緩くしておく。止め木片１３の抜けを防ぐため、図１３（Ｂ）に示す様に止め穴ｆの外に出ている部分を止め穴ｆの大きさより大きくし挿入端側からスリットｊを入れ挿入可能とし対応する。背凭れ板１１の角度が着席する人の背の前後方向の傾きの変化に対応できるように回転ｍすればより使いやすくなるが、この為にホゾａ部分のホゾ穴に入る部分を図１４に示す様にホゾ穴ｂと同心円ｎにし、且つホゾ穴ｂの幅Ｌ２をホゾａの幅Ｌ１より広くして対応できる。
【００１１】
図６〜図１０は本発明の他の実施形態を説明するものである。ここでは以下に前記の実施例との違いのみを説明する。
【００１２】
図６は組み立て完成後の組立椅子を斜め前上方から見た斜視図を示す。図７〜図１０は組み立て途中の椅子を斜め前上方から見た斜視図を示す。図７（Ａ）は座面組み体１を示し、座面後部の支持板４に背凭れ支持板１０をホゾ結合で組みこんであり楔木片１２を使い側板５との間に圧縮固定してある。座面前部の支持板４はホゾａ部分は円筒形状になり脚板６に対し座面組み体２が回転可能で前後方向の角度を可変できる。図７（Ｂ）に座面組み体を構成する各木板形状と配置及び組み立て方法を示してある。
【００１３】
図８（Ａ）は前記の座面組み体２に脚板６を座面左右それぞれ一対をクロスさせ前部支持板４のホゾａに組みこんだ状態を示す。脚板６はクロス個所の相接する面で相欠きｈ接合されクロス角を一定に保つ役割をしているが、側板との接触面は相欠きせず脚板６に対し座面組み体２を回転可能にしている。図８（Ｂ）に脚板６と座面組み体２の形状と配置及び組み立て方法を示してある。
【００１４】
図９（Ａ）は肘掛板７と弧状揺動板９を組みこんだ状態を示す肘掛板７は3箇所にホゾ穴ｂがありそれぞれ脚板６のホゾａ2箇所と背凭れ支持板１０のホゾａに組みこまれる。背凭れ支持板１０のホゾａが入る肘掛板７のホゾ穴ｂは背凭れ支持板１０のホゾａの幅より広くなっており座面組み体２の回転を可能にしており角度調整が可能である。椅子のロッキング機能を設けるため弧状揺動板９を取付けて行うが、脚板６下部先端を弧状揺動板９に作った角穴ｇに挿入し脚板６の面に垂直な方向に弧状揺動板９と脚板６を通して貫通穴ｄを作りこの穴に固定丸棒１４を挿入し固定し構成する。図９（Ｂ）に肘掛板７と弧状揺動板の形状と配置及び組み立て方法を示してある。
【００１５】
図１０（Ａ）は背凭れ板１１を組みこみ完成した組立椅子１を示してある。図１０（Ｂ）は背凭れ板１１の形状と配置と組みこみ方法を示してある。組みこみ方法は前記実施形態の場合と同じで背凭れ支持板１０のホゾ穴ｂに対して行う。
【実施例】
【００１６】
図１１は一つの実施例の組みたて完成図であり、椅子としての最小の機能を備えたシンプルなもので実施形態の最初にあげた例で肘掛板７と接地板８を省いたものである。図１２は別の実施例で（Ａ）は組みたて完成図、（Ｂ）は完成品を折りたたんだ状態を示すが第二に挙げた実施形態の中に含められる応用例である。
【００１７】
実施形態の説明例や実施例で挙げたもの以外に請求項１及び請求項２の記述範囲内でさまざまなデザインが可能で、これらの例はこれを制約するものではない。
【図面の簡単な説明】
【００１８】
【図１】本発明の一実施形態にかかる組立椅子を斜め上方から見た斜視図である。
【図２】組立椅子の一つの組みたて工程を斜め上方から見た分解斜視図である。
【図３】組立椅子の他の組みたて工程を斜め上方から見た分解斜視図である。
【図４】組立椅子の他の組みたて工程を斜め上方から見た分解斜視図である。
【図５】組立椅子の他の組みたて工程を斜め上方から見た分解斜視図である。
【図６】本発明の他の実施形態にかかる組立椅子を斜め上方から見た斜視図である。
【図７】組立椅子の一つの組みたて工程を斜め上方から見た分解斜視図である。
【図８】組立椅子の他の組みたて工程を斜め上方から見た分解斜視図である。
【図９】組立椅子の他の組みたて工程を斜め上方から見た分解斜視図である。
【図１０】組立椅子の他の組みたて工程を斜め上方から見た分解斜視図である。
【図１１】本発明の一実施例の組立椅子を斜め上方から見た斜視図である。
【図１２】本発明の他の実施例の組立椅子を斜め上方から見た斜視図である。
【図１３】本発明の一つの組立工程に係る細部の説明。
【図１４】本発明の他の組立工程に係る細部の説明。
【符号の説明】
【００１９】
１組立椅子
２座面組み体
３座板
４支持板
５側板
６脚板
７肘掛板
８接地板
９弧状揺動板
１０背凭れ支持板
１１背凭れ板
１２楔型木片
１３止め木片
１４固定丸棒
ａホゾ
ｂホゾ穴
ｃざぐり穴
ｄ貫通穴
ｅ楔挿入穴
ｆ止め穴
ｇ角穴
ｈ相欠き
【図１】
2006020922.tif 000003
【図２】
2006020922.tif 000004
【図３】
2006020922.tif 000005
【図４】
2006020922.tif 000006
【図５】
2006020922.tif 000007
【図６】
2006020922.tif 000008
【図７】
2006020922.tif 000009
【図８】
2006020922.tif 000010
【図９】
2006020922.tif 000011
【図１０】
2006020922.tif 000012
【図１１】
2006020922.tif 000013
【図１２】
2006020922.tif 000014
【図１３】
2006020922.tif 000015
【図１４】
2006020922.tif 000016
【手続補正書】
【提出日】平成16年7月12日(2004.7.12)
【手続補正１】
【補正対象書類名】図面
【補正対象項目名】図７
【補正方法】変更
【補正の内容】
【図７】
2006020922.tif 000017
【手続補正２】
【補正対象書類名】図面
【補正対象項目名】図８
【補正方法】変更
【補正の内容】
【図８】
2006020922.tif 000018
【手続補正３】
【補正対象書類名】図面
【補正対象項目名】図９
【補正方法】変更
【補正の内容】
【図９】
2006020922.tif 000019
【手続補正４】
【補正対象書類名】図面
【補正対象項目名】図１０
【補正方法】変更
【補正の内容】
【図１０】
2006020922.tif 000020
【手続補正５】
【補正対象書類名】図面
【補正対象項目名】図１１
【補正方法】変更
【補正の内容】
【図１１】
2006020922.tif 000021
【手続補正６】
【補正対象書類名】図面
【補正対象項目名】図１２
【補正方法】変更
【補正の内容】
【図１２】
2006020922.tif 000022
【手続補正７】
【補正対象書類名】図面
【補正対象項目名】図１３
【補正方法】変更
【補正の内容】
【図１３】
2006020922.tif 000023
【手続補正８】
【補正対象書類名】図面
【補正対象項目名】図１４
【補正方法】変更
【補正の内容】
【図１４】
2006020922.tif 000024